(57)【要約】【課題】  噴霧剤の垂れ落ちによる汚染を防止することができる噴霧装置を提供する。【解決手段】  スプレー缶８２から噴霧された噴霧剤をケース１１の前面２１に設けられた放出口２２から放出する際に、噴霧剤が放出口２２を形成する没入部３１の壁面４１に付着することがあり、この付着した噴霧剤は、壁面４１に沿って流れる。すると、この噴霧剤は、連通穴４３を介してケース１１内に滴下する。これにより、ケース１１外面に沿って流れ落ちる噴霧剤が、当該噴霧装置１の設置場所を汚すといった不具合を解消することができる。【選択図】        図５
2006326511.tif 000002
【特許請求の範囲】
【請求項１】
吐出容器を収納したケースの外側面に、前記吐出容器の口部から吐出される内容物を放出する放出口が設けられた吐出装置において、
前記外側面に内側に没入して前記放出口を形成する没入部を設け、該没入部の奥側に前記放出口から前記内容物を吐出する為の開口部を設けるとともに、該開口部より低位置の前記没入部の壁面に前記ケース内に連通する連通穴を設けたことを特徴とする吐出装置。
【請求項２】
スプレー容器を収容したケースの外側面に、前記スプレー容器のノズルから噴霧された噴霧剤を放出する放出口が設けられた噴霧装置において、
前記外側面に内側に没入して前記放出口を形成する没入部を設け、該没入部の奥側に前記放出口から前記噴霧剤を噴霧する為の開口部を設けるとともに、該開口部より低位置の前記没入部の壁面に前記ケース内に連通する連通穴を設けたことを特徴とする噴霧装置。
【請求項３】
一定時間ごとに前記スプレー容器のノズル部を操作し、該ノズルから前記噴霧剤を噴霧する噴霧手段を備えたことを特徴とする請求項２記載の噴霧装置。
【請求項４】
前記連通穴が設けられた前記没入部の前記壁面を湾曲面で構成し、該壁面の最も低い位置に前記連通穴を設けたことを特徴とする請求項２又は３記載の噴霧装置。
【請求項５】
前記放出口より下側に位置する前記ケースの内側面の部位に、前記連通穴の下部位置まで延出する液受け部を設けたことを特徴とする請求項２、３又は４記載の噴霧装置。
【請求項６】
前記液受け部に噴霧剤吸収部材を設けたことを特徴とする請求項５記載の噴霧装置。
【発明の詳細な説明】
【技術分野】
【０００１】
本発明は、内容物を吐出する容器体を収納するケースを備えた吐出装置及び噴霧装置に関する。
【背景技術】
【０００２】
従来、ケース内にセットしたスプレー缶から噴霧剤を自動的に噴霧させる噴霧装置が知られている（例えば、特許文献１）。
【０００３】
この噴霧装置のケースには、スプレー缶を入れ替える為の跳ね上げ式の蓋体が設けられており、該蓋体の上面と前記ケースの天面とには、放出口が開設されている。これにより、前記スプレー缶の噴霧ノズルから噴出された噴霧剤が前記放出口から上方へ向けて噴出されるように構成されている。
【０００４】
このような噴霧装置において、前記噴霧剤を側方へ向けて噴出させる場合、前記放出口が側方に開口するように構成する。これにより、前記噴霧剤をより遠くへ噴霧することができる。
【特許文献１】特開２００３−０３３６８４号公報
【発明の開示】
【発明が解決しようとする課題】
【０００５】
しかしながら、このように放出口が側方へ開口した噴霧装置にあっては、噴霧剤が放出口の開口縁部に付着し、ケースに沿って流れ落ちることがある。
【０００６】
これにより、当該噴霧装置の外側ケースが汚れて見栄えが悪くなったり、噴霧装置の設置場所の床面を汚す恐れがあった。
【０００７】
本発明は、このような従来の課題に鑑みてなされたものであり、内容物の垂れ落ちによる汚染を防止することができる吐出装置及び噴霧装置を提供することを目的とするものである。
【課題を解決するための手段】
【０００８】
前記課題を解決するために本発明の請求項１の吐出装置にあっては、吐出容器を収納したケースの外側面に、前記吐出容器の口部から吐出される内容物を放出する放出口が設けられた吐出装置において、前記外側面に内側に没入して前記放出口を形成する没入部を設け、該没入部の奥側に前記放出口から前記内容物を吐出する為の開口部を設けるとともに、該開口部より低位置の前記没入部の壁面に前記ケース内に連通する連通穴を設けた。
【０００９】
ここで、内容物を吐出する吐出容器としては、スプレーのみならず、例えばシャンプーや液体石鹸等の内容物を吐出する容器も挙げられる。
【００１０】
すなわち、吐出容器から吐出された内容物をケースの外側面に設けられた放出口から放出する際に、前記内容物が前記放出口を形成する没入部の壁面に付着することがあり、この付着した内容物は、前記壁面に沿って流れる。
【００１１】
このとき、前記没入部の壁面には、前記内容物が供給される開口部より低位置に前記ケース内に連通する連通穴が設けられている。このため、前記没入部の壁面に沿って流れる内容物は、前記連通穴を介してケース内に滴下する。
【００１２】
そして、本発明の請求項２の噴霧装置にあっては、スプレー容器を収容したケースの外側面に、前記スプレー容器のノズルから噴霧された噴霧剤を放出する放出口が設けられた噴霧装置において、前記外側面に内側に没入して前記放出口を形成する没入部を設け、該没入部の奥側に前記放出口から前記噴霧剤を噴霧する為の開口部を設けるとともに、該開口部より低位置の前記没入部の壁面に前記ケース内に連通する連通穴を設けた。
【００１３】
ここで、本明細書中のスプレーとしては、エアゾールのみならず、ポンプ式スプレーも含むものとする。
【００１４】
また、通常、エアゾール内部には、薬剤（香料、消臭剤、殺虫剤）、溶剤、噴射剤（液体の場合と気体の場合がある）が含まれており、本明細書中の噴霧剤としては、スプレー容器から噴霧されるものとする。
【００１５】
すなわち、スプレー容器から噴霧された噴霧剤をケースの外側面に設けられた放出口から放出する際に、前記噴霧剤が前記放出口を形成する没入部の壁面に付着することがあり、この付着した噴霧剤は、前記壁面に沿って流れる。
【００１６】
このとき、前記没入部の壁面には、前記噴霧剤が供給される開口部より低位置に前記ケース内に連通する連通穴が設けられている。このため、前記没入部の壁面に沿って流れる噴霧剤は、前記連通穴を介してケース内に滴下する。
【００１７】
また、請求項３の噴霧装置においては、一定時間ごとに前記スプレー容器のノズル部を操作し、該ノズルから前記噴霧剤を噴霧する噴霧手段を備えている。
【００１８】
すなわち、噴霧剤が定期的に噴霧されるので、壁面への付着頻度が増す。
【００１９】
さらに、請求項４の噴霧装置では、前記連通穴が設けられた前記没入部の前記壁面を湾曲面で構成し、該壁面の最も低い位置に前記連通穴を設けた。
【００２０】
すなわち、放出口を形成する没入部の壁面は、湾曲面で構成されており、この壁面の最も低い位置に連通穴が設けられている。
【００２１】
このため、前記没入部の前記壁面に沿って流れた前記噴霧剤は、前記連通穴に集まり、当該連通穴より滴下する。
【００２２】
加えて、請求項５の噴霧装置にあっては、前記放出口より下側に位置する前記ケースの内側面の部位に、前記連通穴の下部位置まで延出する液受け部を設けた。
【００２３】
すなわち、ケースの内側面に、没入部に設けられた連通穴の下部位置まで延出する液受け部が設けられており、前記連通穴から滴下した噴霧剤は、前記液受け部で受けられる。
【００２４】
さらに、請求項６の噴霧装置においては、前記液受け部に噴霧剤吸収部材を設けた。
【００２５】
これにより、前記液受け部に滴下した前記噴霧剤は、噴霧剤吸収部材に吸収される。
【発明の効果】
【００２６】
以上説明したように本発明の請求項１の吐出装置にあっては、放出口を形成する没入部の壁面に付着した内容物を、前記壁面に設けられた連通穴を介してケース内に滴下することができる。
【００２７】
これにより、放出口に付着した内容物がケース外面に沿って流れ落ちる恐れがあった従来と比較して、内容物によるケース外面の汚染を防止することができ、外観品質を維持することができる。また、前記ケース外面に沿って流れ落ちる前記内容物が、当該吐出装置の設置場所を汚すといった不具合も解消することができる。
【００２８】
そして、請求項２の噴霧装置にあっては、放出口を形成する没入部の壁面に付着した噴霧剤を、前記壁面に設けられた連通穴を介してケース内に滴下することができる。
【００２９】
これにより、放出口に付着した噴霧剤がケース外面に沿って流れ落ちる恐れがあった従来と比較して、噴霧剤によるケース外面の汚染を防止することができ、外観品質を維持することができる。また、前記ケース外面に沿って流れ落ちる前記噴霧剤が、当該噴霧装置の設置場所を汚すといった不具合も解消することができる。
【００３０】
また、請求項３の噴霧装置においては、噴霧剤が定期的に噴霧されるので、壁面への付着頻度が増す。
【００３１】
これにより、前述した効果を有効に発揮することができる。
【００３２】
また、請求項４の噴霧装置では、放出口を形成する没入部の壁面を湾曲面で構成し、この壁面の最も低い位置に連通穴を設けることによって、前記没入部の前記壁面に沿って流れた噴霧剤を、前記連通穴に集めて当該連通穴より滴下することができる。
【００３３】
そして、前記噴霧剤を滴下させる前記連通穴は、湾曲面で構成された前記壁面の最も低い位置に設定されている。このため、前記噴霧剤の他の場所での貯留を防止することができ、前記没入部の外観品質を維持することができる。
【００３４】
さらに、請求項５の噴霧装置では、ケースの外側面に、没入部に設けられた連通穴の下部位置まで延出する液受け部が設けられており、前記連通穴から滴下した噴霧剤を、前記液受け部で受けることができる。
【００３５】
これにより、噴霧剤がケース底面に滴下する場合と比較して、ケース底面の汚れを防止することができる。
【００３６】
加えて、請求項６の噴霧装置にあっては、前記液受け部に滴下した前記噴霧剤を、噴霧剤吸収部材に吸収して保持することができる。
【発明を実施するための最良の形態】
【００３７】
以下、本発明の一の実施の形態を図に従って説明する。図１は、本実施の形態にかかる吐出装置である噴霧装置１を示す図であり、該噴霧装置１は、芳香剤や消臭剤や殺虫剤などの内容物を構成する噴霧剤を自動的に噴霧する装置である。
【００３８】
この噴霧装置１のケース１１は、本体部１２と、該本体部１２の下端部に支持された蓋部１３とによって構成されており、該蓋部１３を前記本体部１２に沿って起立することで、当該本体部１２の前部開口部を閉鎖できるうように構成されている。
【００３９】
前記蓋部１３は、図２から図４にも示すように、上端部が先細りした形状に形成されており、当該上端部は、先端に向かうに従って後方へ傾斜するように構成されている（図３参照）。この蓋部１３前面２１の上端部には、前記噴霧剤を放出する為の放出口２２が設けられており、該放出口２２は、前記蓋部１３に取り付けられた放出口構成部材２３によって構成されている。
【００４０】
該放出口構成部材２３は、図５にも示すように、前記蓋部１３の内側に後退したお椀形状に形成されており、前記ケース１１の外側面より内側に没入した没入部３１を構成している。該没入部３１の開口縁部には、側方に延出するフランジ３２が形成されており、該フランジ３２には、前記蓋部１３に設けられた取付穴３３の開口縁部に係合する係合爪３４が設けられている。
【００４１】
前記没入部３１は、図２に示したように、縦長の楕円形状に形成されており、当該没入部３１の壁面４１は湾曲面で構成され、その縦断面形状は、図５に示したように、内側に突出した円弧状に形成されている。この没入部３１の奥側には、図１及び図２並びに図５に示すように、前記放出口２２から噴霧剤を噴霧する為の縦長楕円形状の開口部４２が開設されており、該開口部４２の開口縁の下縁からは、断面円弧状の垂れ防止部４３が内側へ向けて延出している。
【００４２】
前記没入部３１の前記壁面４１には、当該没入部３１の幅方向の中央部であって、前記開口部４２より低い位置に当該ケース１１内に連通する連通穴４５が開設されており、該連通穴４５は、前記放出口２２の開口縁近傍に設けられている。この放出口構成部材２３は、上方へ向かうに従って後方に傾斜した面に沿って取り付けられており、図５に示したように、円弧状を成す縦断面形状において、最も低い位置が前記放出口２２の開口縁より内側に位置するように設定され、この最も低い低位置に前記連通穴４５が設けられている。
【００４３】
また、前記蓋部１３前面２１には、前記放出口２２より下側に位置する部位に内側に延出する液受け部５１が設けられており、該液受け部５１は、前記蓋部１３の内側面に沿って延設されている。そして、この液受け部５１の突出量は、前記連通穴４５の下部位置まで延出する長さに設定されており、前記連通穴４５より垂下した仮想線５２と交差するように構成されている。
【００４４】
前記放出口２２の上部には、発光ダイオード６１が設けられており、図２から図４に示したように、当該噴霧装置１の側部に設けられたスイッチ６２を操作したオン状態では、前記発光ダイオード６１の点灯から当該噴霧装置１の作動状態を確認できるように構成されている。
【００４５】
前記本体部１２は、図６に示すように、その背面７１に矩形状の凹部７２が設けられており、該凹部７２の上部には、三角形状のフック係止穴７３が設けられている。該フック係止穴７３の頂点部には、上方へ向けて延在する切欠部７４が設けられており、部屋の壁面に設けられたフックを当該切欠部７４に係止することで、当該噴霧装置１を前記壁面に掛けられるように構成されている。
【００４６】
この本体部１２の下端には、図１に示したように、前方に張り出した支持板８１が設けられており、該支持板８１の上部には、図５及び図７に示すように、スプレー缶８２が保持される保持部８３が形成されている。前記支持板８１に対向した部位には、図５及び図７に示すように、缶取付部８４が設けられており、該缶取付部８４の溝８５にスプレー缶８２上端の折り返し部８６を挿入した状態で、当該スプレー缶８２を位置決めして保持できるうように構成されている。この位置決め状態において、前記スプレー缶８２に設けられたノズル８７より前方に延出した前方延出部８８が、前記放出口２２へ向けて延出するように構成されている。
【００４７】
また、前記保持部８３に位置する前記本体部１３の前記背面７１には、図７に示すように、一対の縦リブ９１，９１と、両縦リブ９１，９１と交差する一対の横リブ９２，９２とが設けられており、該横リブ９２，９２は、前記保持部８３にセットされた前記スプレー缶８２の缶本体９３に沿って湾曲した円弧状に形成されている。前記保持部８３の両脇には、電池収容部９４，９４が設けられており、両電池収容部９４，９４に乾電池を収容できるように構成されている。
【００４８】
前記保持部８３の上部には、図１に示したカバー１０１で覆われた制御部空間１０２が形成されており、該制御部空間１０２には、図７に示すように、前記電池収容部９４，９４の乾電池で作動する電子回路が形成された電子基板１０３と、該電子基板１０３からの信号で作動するモータを備えた機構部１０４とが設けられている。
【００４９】
該機構部１０４には、複数のギアと該ギアで駆動されるノズル操作部１０５とが設けられており、前記モータの駆動力で前記ノズル操作部１０５が作動した際に、該ノズル操作部１０５に設けられた凸部１０６が前記保持部８３に保持された前記スプレー缶８２のノズル８７を下方に押し下げ、該ノズル８７から噴霧剤を噴出するように構成されている。
【００５０】
これにより、一定時間ごとに前記ノズル操作部１０５で前記スプレー缶８２のノズル８７を操作して、該ノズル８７から噴霧剤を噴出するように構成されている
【００５１】
以上の構成にかかる本実施の形態において、スプレー缶８２から噴霧された噴霧剤をケース１１の前面２１に設けられた放出口２２から放出する際に、前記噴霧剤が前記放出口２２を形成する没入部３１の壁面４１に付着したり、噴霧の開始直後や終了直後に、噴霧剤がノズル８７の噴出口から壁面４１に垂れ落ちたりすることがあり、この付着若しくは垂れ落ちた噴霧剤は、前記壁面４１に沿って流れる。
【００５２】
このとき、前記没入部３１の壁面４１には、前記噴霧剤が供給される開口部４２より低位置に前記ケース１１内に連通する連通穴４５が設けられている。このため、前記没入部３１の壁面４１に沿って流れる噴霧剤を、前記連通穴４５を介してケース１１内に滴下することができる。
【００５３】
これにより、放出口２２に付着した噴霧剤がケース１１外面に沿って流れ落ちる恐れがあった従来と比較して、噴霧剤によるケース１１外面の汚染を防止することができ、外観品質を維持することができる。また、前記ケース１１外面に沿って流れ落ちる前記噴霧剤が、当該噴霧装置１の設置場所を汚すといった不具合も解消することができる。
【００５４】
また、前記放出口２２を形成する没入部３１の壁面４１は、湾曲面で構成されており、この壁面４１の最も低い位置に前記連通穴４５が設けられている。このため、前記没入部３１の前記壁面４１に沿って流れた前記噴霧剤を、前記連通穴４５に集め当該連通穴４５より滴下することができる。
【００５５】
そして、前記噴霧剤を滴下させる前記連通穴４５は、前記壁面４１の最も低い位置に設定されているので、前記噴霧剤の他の場所での貯留を防止することができ、前記没入部３１の外観品質を維持することができる。
【００５６】
また、ケース１１を構成する蓋部１３の前面２１に、前記没入部３１に設けられた連通穴４５の下部位置まで延出する液受け部５１が設けられており、前記連通穴４５から滴下した噴霧剤を、前記液受け部５１で受けることができる。
【００５７】
これにより、噴霧剤がケース１１底面に滴下する場合と比較して、ケース１１底面の汚れを防止することができる。
【００５８】
また、本実施の形態では、スプレー缶８２を支持する支持板８１への前記噴霧剤の滴下を防止することができる。これにより、スプレー缶８２交換時に手を汚すといった不具合を未然に解消することができる。
【００５９】
そして、前記液受け部５１にスポンジ等の噴霧剤吸収部材を設けることによって、前記液受け部５１に滴下した前記噴霧剤を、前記噴霧剤吸収部材に吸収して保持することができる。これにより、前記蓋部１３開放時に液受け部５１に貯留した前記噴霧剤が流れ出すといった不具合を解消することができる。
【図面の簡単な説明】
【００６０】
【図１】本発明の一実施の形態を示す斜視図である。
【図２】同実施の形態を示す正面図である。
【図３】同実施の形態を示す側面図である。
【図４】同実施の形態を示す平面図である。
【図５】図４のＡ−Ａ線に沿った断面図である。
【図６】同実施の形態を示す背面図である。
【図７】同実施の形態の本体部からカバーを外した状態を示す図である。
【符号の説明】
【００６１】
１    噴霧装置
１１    ケース
２１    前面
２２    放出口
３１    没入部
４１    壁面
４２    開口部
４５    連通穴
５１    液受け部
８１    スプレー缶
８７    ノズル
【図１】
2006326511.tif 000003
【図２】
2006326511.tif 000004
【図３】
2006326511.tif 000005
【図４】
2006326511.tif 000006
【図５】
2006326511.tif 000007
【図６】
2006326511.tif 000008
【図７】
2006326511.tif 000009